(57)【要約】【課題】  冬場、内排水部品に手をかざしても冷気を感じ難い引違いサッシを提供する。【解決手段】  上枠２ａ、下枠２ｂおよび左右の縦枠２ｃ，２ｃからなる枠体２と、この枠体２内に開閉可能に設けられる障子３ａ，３ｂとを備えた引違いサッシ１であって、前記下枠２ｂの内外レール４ａ，４ｂ間における室内側上面部ｘｂに室外と連通する排水口１８を設け、該排水口１８に弁２０を備えた内排水部品１５を取付け、該内排水部品１５は外レール４ａの室内面に対向する部分に排水部３０を備え、該排水部３０と外レール４ａの室内面との間に微小な隙間ｆを設けている。【選択図】          図２
2005188248.tif 000002
【特許請求の範囲】
【請求項１】
上枠、下枠および左右の縦枠からなる枠体と、この枠体内に開閉可能に設けられる障子とを備えた引違いサッシであって、前記下枠の内外レール間における室内側上面部に室外と連通する排水口を設け、該排水口に弁を備えた内排水部品を取付け、該内排水部品は外レールの室内面に対向する部分に排水部を備え、該排水部と外レールの室内面との間に微小な隙間を設けていることを特徴とする引違いサッシ。
【発明の詳細な説明】
【技術分野】
【０００１】
本発明は、引違いサッシに係り、特に排水性の向上等を図った引違いサッシに関する。
【背景技術】
【０００２】
建物の躯体の開口部に設けられる窓サッシ等のサッシは、建物の躯体に取付けられる上枠、下枠および左右の縦枠からなる枠体と、この枠体内に取付けられる障子とを備えている。そして、アルミサッシなどでは、一般的に前記下枠を室外側に向って下り傾斜の断面階段状に形成することにより、排水性の向上が図られている。一方、断熱性に優れていることにより寒冷地などで多く採用されている樹脂サッシにおいては、製造コストの低減および気密性の向上を図る目的で、上枠、下枠および左右の縦枠を同一断面形状にし、隣接する端部同士を突き合わせて溶着することにより方形の枠体を形成する試みがなされている。
【０００３】
前述した樹脂サッシにおいては、アルミサッシのように下枠を断面階段状にすると、上枠および縦枠も同じ断面階段状になって見栄えが悪くなると共に、内外の障子の大きさも変えなければならないことから、下枠を断面階段状にせず、レール等の突起部を除く上面を略平坦な形状にすることが好ましい。しかしながら、このように下枠を略平坦な形状にすると、排水性が悪くなり、下枠の室外側上面に溜まった雨水等の水が下枠の室内側上面に浸入して溜まり、見栄えが悪いという不具合が発生することが予想される。
【０００４】
そこで、本出願人は、下枠を略平坦な形状にしたとしても排水性の向上が図れる引違いサッシを提案している（特許第３４０４３０８号公報参照）。この引違いサッシにあっては、下枠の上面部が閉鎖位置の障子により室内側上面部と室外側上面部とに仕切られ、前記下枠に、室内側上面部に浸入した水を下枠の内部に排水する弁を有する内排水部品と、下枠の内部から室外側に排水する弁を有する外排水部品と、室外側上面部に溜まった水を下枠の内部に排水する排水キャップとを設け、内排水部品と排水キャップを下枠の上面部における内外レール間の長手方向両端位置に設けている。
【０００５】
【特許文献１】特許第３４０４３０８号公報
【発明の開示】
【発明が解決しようとする課題】
【０００６】
ところで、高気密高断熱住宅では換気システムが稼動しているため、また、前記引違いサッシにおいては内排水部品の弁が硬質樹脂製で閉弁時の気密性に限界があることから、微量であるが内排水部品を介して室内に外気が取り込んでしまっている。このため、冬場、内排水部品に手をかざした場合、冷気を感じる場合がある。
【０００７】
そこで、本発明は、前述した課題を解決すべくなされたもので、冬場、内排水部品に手をかざしても冷気を感じ難い引違いサッシを提供することを目的とする。
【課題を解決するための手段】
【０００８】
本発明は、上枠、下枠および左右の縦枠からなる枠体と、この枠体内に開閉可能に設けられる障子とを備えた引違いサッシであって、前記下枠の内外レール間における室内側上面部に室外と連通する排水口を設け、該排水口に弁を備えた内排水部品を取付け、該内排水部品は外レールの室内面に対向する部分に排水部を備え、該排水部と外レールの室内面との間に微小な隙間を設けていることを特徴とする。
【発明の効果】
【０００９】
本発明によれば、上枠、下枠および左右の縦枠からなる枠体と、この枠体内に開閉可能に設けられる障子とを備えた引違いサッシであって、前記下枠の内外レール間における室内側上面部に室外と連通する排水口を設け、該排水口に弁を備えた内排水部品を取付け、該内排水部品は外レールの室内面に対向する部分に排水部を備え、該排水部と外レールの室内面との間に微小な隙間を設けているため、冬場、内排水部品に手をかざしても冷気を感じ難い。
【発明を実施するための最良の形態】
【００１０】
以下に、本発明を実施するための最良の形態について、添付図面を基に詳述する。図１は本発明を樹脂製引違いサッシに適用した実施の形態を示す概略的室外側正面図、図２は内排水部品の取付構造を示す図、図３は図１のＡ−Ａ線拡大断面図、図４は図１のＢ−Ｂ線拡大断面図、図５は内排水部品を示す図で、（ａ）は正面図、（ｂ）は側面図である。
【００１１】
これらの図において、１は樹脂製引違いサッシ（以下、樹脂サッシともいう。）で、この樹脂サッシ１は、建物の躯体Ｔに取付けられる方形の枠体（サッシ枠）２と、この枠体２内に取付けられる引違い式の障子３ａ，３ｂとを備えている。前記枠体２は、合成樹脂製例えば塩化ビニール製の上枠２ａ、下枠２ｂおよび左右の縦枠２ｃ，２ｃからなり、これらの枠材は同一断面形状であることが好ましい。
【００１２】
上枠２ａ、下枠２ｃおよび左右の縦枠２ｃ，２ｃを構成する枠材は、剛性および断熱性を持たせるために内面部（下枠では上面部）２ｘと外面部（下枠では下面部）２ｙの間に仕切壁２ｐで仕切られた複数例えば３つの中空部２ｚを有するホロー構造とされており、その内面部２ｘには例えば断面Ｈ状の突条部４ａ，４ｂが長手方向に沿って二条形成されている。これらの突条部４ａ，４ｂは、上枠２ａおよび下枠２ｂにおいて、内外の障子３ａ，３ｂを左右方向に移動可能に案内支持するための内外レールとされる。突条部からなる二本のレール４ａ，４ｂは、ほぼ同じ高さとされていることが内外の障子３ａ，３ｂの大きさを同一にする上で好ましい。
【００１３】
枠材の室内端と室外端には、内向きリブ５，６が長手方向に沿って形成されている。枠材の室外端の内向きリブ５は、上枠２ａおよび下枠２ｂにおいて、図示しない網戸を左右方向に移動可能に案内支持するための網戸レールとされる。枠材の外面部２ｙの室内外方向略中間部には、枠体２をその室内側が建物の開口に挿入された状態に建物の躯体Ｔにネジ等の固着具で取付ける（これを半外付けという）ための外向きリブ７が枠材の長手方向に沿って形成されている。
【００１４】
前記下枠２ｂの下部には、下枠２ｂの下部を支持すると共に外向きリブ７を室外側から覆って支持する補強材８がネジ９で取付けられ、この補強材８が躯体Ｔの窓台Ｔａにネジ等の固着具で取付固定される。前記補強材８は、剛性の高い材料例えばアルミニウム合金の押出形材からなっている。なお、障子３ａ，３ｂの重量が加わる下枠２ｂの変形を防止するために、下枠２ｂの中空部２ｚには例えばアルミニウム合金の押出形材からなる芯材１０が嵌挿されていることが好ましい。
【００１５】
アルミサッシにおいては、排水性をよくするために下枠を断面階段状に形成しているのが一般的であるが、本実施の形態の樹脂サッシ１においては、断面形状の同じ枠材を用いることから、下枠２ｂを断面階段状にすると、上枠２ａおよび縦枠２ｃも断面階段状になって見栄えが悪くなると共に、障子３ａ，３ｂの大きさも変えなければならないため、枠材が断面階段状に形成されておらず、突条部４ａ，４ｂおよび内向きリブ５，６を除く内面部２ｘが略平坦に形成されている。なお、枠材の内面部２ｘは、下枠２ｂの上面部における排水性を考慮して室外側へ若干下り傾斜になっていることが好ましい。
【００１６】
上枠２ａ、下枠２ｂおよび左右の縦枠２ｃ，２ｃは、隣接する端部２ｗが突き合わせ接合されるように端部２ｗが４５度の角度で切断され、隣接する端部２ｗ同士を突き合わせて溶着することにより接合部の気密性を向上させた方形の枠体２を形成している。上枠２ａ、下枠２ｂおよび左右の縦枠２ｃ，２ｃが同一断面であるため、同じ成形型で押出成形することができ、製造コストの低減が図れると共に、隣接する端部２ｗ同士を接合する際に接合面積を大きくとることができ、接合強度の向上が図れる。
【００１７】
前記障子３ａ，３ｂは、合成樹脂製の上框１１ａ、下框１１ｂおよび左右の縦框１１ｃ，１１ｃからなる方形の框体１１と、この框体１１の内側に嵌め込まれたガラスパネル１２とから主に構成されている。上框１１ａ、下框１１ｂおよび左右の縦框１１ｃ，１１ｃは、前記枠材２と同様、同一断面形状に形成されていて、隣接する端部１１ｗ同士を突き合わせて溶着接合されることが好ましい。また、上框１１ａ、下框１１ｂおよび左右の縦框１１ｃ，１１ｃは、中空部１１ｚを有するホロー構造とされ、その中空部１１ｚに芯材１３ａ，１３ｂ，１３ｃが嵌挿されていることが好ましい。ガラスパネル１２としては、断熱性を有する複層ガラス（ペアガラス）が好ましい。障子３ａ，３ｂの下框１１ｂには戸車１４が取付けられている。
【００１８】
下枠２ｂの上面部２ｘは閉鎖位置の障子３ａ，３ｂにより室内側上面部ｘｂと室外側上面部ｘａとに仕切られる。下枠２ｂにおいては、上面部２ｘが略平坦に形成されていることから、レール４ａ，４ｂおよび網戸レール５の一部を排水用に切り欠いたとしても、上面部２ｘに溜まった雨水等の水を室外側へ円滑に排水することが難しく、室外側上面部ｘａに溜まった水が室内側上面部ｘｂに浸入し易い。そこで、下枠２ｂには、室内側上面部ｘｂに浸入した水を室内側から下枠２ｂの内部（中空部）２ｚに排水する弁２０を有する内排水部品（内排水弁ともいう）１５と、下枠２ｂの内部（中空部）２ｚから室外側に排水する弁２３を有する外排水部品（外排水弁ともいう）１６とが設けられ、排水性の向上が図られている。また、下枠２ｂには、室外側上面部ｘａに溜まった水を下枠２ｂの内部２ｚに排水するための排水部である排水孔１７が設けられている。
【００１９】
前記内排水部品１５は、図４に示すように、下枠２ｂの室内側上面部ｘｂに設けられ、排水孔１７は室外側上面部ｘａに設けられている。これら内排水部品１５と排水孔１７は、下枠２ｂの上面部２ｘにおける内外のレール４ａ，４ｂ間の長手方向両端位置であって、且つ、外レール４ａ側に近接して設けられていることが好ましい。また、外排水部品１６は、下枠２ｂの前端部（室外端）における長手方向両端位置すなわち前記内排水部品１５および排水孔１７と対応する位置に設けられていることが好ましい。
【００２０】
前記内排水部品１５は、図２，図５〜図７に示すように、下枠２ｂの内外レール３ａ，３ｂ間における室内側上面部ｘｂに設けられた長穴状の排水口１８に取付けられている。冬場に内排水部品１５に手をかざしても冷気を感じ難くするために、内排水部品１５は外レール４ａの室内面に対向する部分に排水部（開口）３０を備え、この排水部３０と外レール３ａの室内面との間に例えば１〜２ｍｍ程度の微小な隙間Ｆが設けられている。排水部３０と外レール３ａの室内面との間に隙間Ｆを設けたのは排水性を確保するためである。具体的には、内排水部品１５は、前記排水口１８に垂直方向上方から挿入嵌着される合成樹脂製の縦型の本体１９と、この本体１９の上部にこれを覆うように一体又は別体（図示例）に設けられるカバー部材３１とから主に構成されている。本体１９は、上端に入口部１９ａを、前面下部に出口部１９ｂを有する排水ダクト状に形成されており、前記排水口１８から下枠２ｂの内部（中空部）２ｚに挿入配置される。本体１９の入口部１９ａにはゴミの侵入を防止するための格子１９ｃが一体的に設けられている。
【００２１】
また、前記本体１９には、通常時に出口部１９ｂを自重で垂下された状態で塞いでいる合成樹脂製の板状の弁２０が両側の支軸２０ａと軸受１９ｄを介して開閉可能（回動可能）に設けられている。また、本体１９には、下枠２ｂの排水口１８の上部周縁部に係止されるフランジ状の係止部１９ｅが上端部に設けられていると共に、排水口１８の下部周縁部に部分的に係止される抜け止め部１９ｆ，１９ｇが前後に突設されている。本体１９の上面部における長手方向両端部には、下枠２ｂの上面に溜まる水を入口部１９ａに導き入れるためにフランジ状の係止部１９ｅは設けられていない。
【００２２】
この内排水部品１５は、出口部１９ｂから入口部１９ａまでの高さすなわち落差（水位）を稼ぐことにより、排水性の向上が図られている。内排水部品１５は、下枠２ｂの室内側上面部ｘｂに至った雨水や結露水等の水を入口部１９ａから本体１９内に導き、その水圧で弁２０が開いて下枠２ｂの内部２ｚに円滑に排水する一方、通常時には弁２０が閉じていることにより、室内側への外気等の侵入を抑制ないし防止している。
【００２３】
前記カバー部材３１は、外レール４ａの室内面に対向する排水部（開口）３０を有し、この排水部３０と本体１９の入口部１９ａとが連通している。図示例のカバー部材３１は、本体１９の上面部に該上面部全体を覆うようにして着脱可能に取付けられている。カバー部材３１の入口部である排水部３０にはゴミの侵入を防止するための縦横の格子３２，３３が一体的に設けられている。また、カバー部材３１にはこれを本体１９に固定するための一対の係止片部３４，３４が下方に突出した状態で一体的に設けられている。係止片部３４は縦の格子３２に一体形成されており、本体１９の入口部１９ａに挿入される（差し込まれる）ようになっている。また、係止片部３４の先端側には本体１９の入口部１９ａにおける格子１９ｃの下端部に自らの弾性力で係止される係止部３４ａが突設されている。一対の係止片部３４，３４が本体１９の入口部１９ａにおける両端の格子１９ｃの外側面に沿って挿入されるように設計され、間違った位置に挿入（差し込み）ができないようになっている。カバー部材３１の両側面部と本体１９の上面部の長手方向両端部との間には、本体１９の上面部における長手方向両端部からの水の導入を阻害しないようにするために、隙間ｇが設けられている。
【００２４】
一方、外排水部品１６は、図２ないし図８の（ａ），（ｂ），（ｃ），（ｄ）に示すように、下枠２ｂの前面部下側に設けられた長穴状の排水口２１に水平方向から挿入嵌着される合成樹脂製の本体２２を有している。この本体２２は、前記排水口２１から下枠２ｂの内部（中空部）２ｚに挿入される挿入部２２ａと、下枠２ｂの前面部に当接される当接部２２ｂとを有している。前記挿入部２２ａは、先端部および下部が水を導入するために開口されている。
【００２５】
前記当接部２２ｂには、挿入部２２ａ側と連通した開口部２２ｃが設けられていると共に、通常時にその開口部２２ｃを自重で垂下された状態で塞いでいる合成樹脂製の板状の弁２３が両側の支軸２３ａと軸受２２ｄを介して開閉可能（回動可能）に設けられている。下枠２ｂの内部２ｚに至った水は、外排水部品１６の本体２２内に流入し、その水圧で弁２３を押し開けて外部（屋外）に排水されることになる。このように外排水部品１６は、下枠２ｂ内の水を外部に円滑に排水する一方、通常時には蓋体２３が閉っていることにより、外気や風、虫やゴミの侵入を防止している。
【００２６】
前記挿入部２２ａの両側部には、前記排水口２１の内側周縁部に係止される抜け止め部２２ｅが突設されている。また、外排水部品１６には、前記弁２３と常時室外側へ連通する連通部である水抜き穴２４が設けられ、残流水の凍結により弁２３が動かなくなるのを防止している。前記水抜き穴２４は、外排水部品１６の当接部２２ｂにおける下枠前面部下側に当接する下側当接面部２２ｆに小口径の縦溝状に複数設けられている。すなわち、水抜き穴２４は、下枠２ｂ内の底面前縁部から下向きに屋外に小口径で開口しているため、下枠２ｂ内の水を円滑に自然排水して外排水部品１６内の水の残留をなくし、弁２３が全閉状態で凍結するのを防止する一方、外気や風、虫やゴミの侵入を抑制している。
【００２７】
前記排水孔１７は、図４に示すように、下枠２ｂの室外側上面部ｘａに設けられた丸穴状の排水口である。排水孔１７は、室外側に配置されていることから、内排水部品１５と異なり、外気や風等の室内側への侵入を防止する弁を備えていない。前記下枠２ｂの内部２ｚには、図２に示すように、仕切壁２ｐや芯材１０が排水の流れを阻止するように設けられている場合があるが、このような場合には、仕切壁２ｐや芯材１０の一部を切り欠くことにより、内排水部品１５および排水孔１７から外排水部品１６へ向う排水流路２６を確保すればよい。
【００２８】
次に、以上の構成からなる樹脂サッシ１の取付施工方法および作用について述べる。樹脂サッシ１を、建物の躯体Ｔに取付ける場合には、先ず枠体２の下枠２ｂ下部に補強材８をネジ９で取付固定する。次いで、枠体２の室内側を建物の躯体Ｔの開口部に室外側から嵌挿して外向きリブ７を躯体Ｔの室外面に当接させ、上枠２ａおよび左右の縦枠２ｃ，２ｃの外向きリブ７を建物の躯体Ｔに、補強材８を躯体Ｔの窓台Ｔａにネジや釘等の固着具で取付固定する。そして、前記枠体２に障子３ａ，３ｂを取付ければよい。
【００２９】
このように構成された樹脂サッシ１によれば、上枠２ａ、下枠２ｂおよび左右の縦枠２ｃ，２ｃからなる枠体２と、この枠体２内に取付けられる障子３ａ，３ｂとを備え、内外のレール４ａ、４ｂの高さが略同高さとされた引違いサッシであって、下枠２ｂの上面部は閉鎖位置の障子３ａ，３ｂにより室内側上面部ｘｂと室外側上面部ｘａとに仕切られ、前記下枠２ｂに、室内側上面部ｘｂに浸入した水を下枠２ｂの内部に排水する弁２０を有する内排水部品１５と、下枠２ｂの内部から室外側に排水する弁２３を有する外排水部品１６と、室外側上面部ｘａに溜まった水を下枠２ｂの内部に排水する排水孔１７とを設け、内排水部品１５と排水孔１７は下枠２ｂの上面部における内外レール４ａ、４ｂ間の長手方向両端位置に配されているため、下枠２ｂの室外側上面部ｘａに溜まる水は排水孔１７により円滑に排水することができ、これにより下枠２ｂの室外側上面部ｘａから室内側上面部ｘｂへの水の浸入を抑制することができ、しかも、下枠２ｂの室外側上面部ｘａから室内側上面部ｘｂへ浸入した水は弁２０を備えた内排水部品１５により排水することができ、下枠２ｂの内部に排水する内外のレール４ａ，４ｂの高さを略同高さにして下枠上面部を略平坦な形状にしたとしても排水性の向上が図れる。
【００３０】
また、下枠２ｂの室外側上面部ｘａから室内側上面部ｘｂに浸入した雨水等の水は、先ず内排水部品１５を介してその落差により下枠２ｂの内部２ｚに円滑に排水され、次いで下枠２ｂの内部２ｚから外排水部品１６を介して屋外に円滑に排水されるため、排水性が向上する。しかも、外気や風は、外排水部品１６と内排水部品１５により二重に遮断されるため、気密性を確保することができる。また、外排水部品１６が設けられていることにより、虫等の浸入を防止することができる。
【００３１】
特に、内排水部品１５は外レール４ａの室内面に対向する部分に排水部３０を備え、この排水部３０と外レール４ａの室内面との間に微小な隙間Ｆを設けているため、冬場、内排水部品に手をかざしても冷気を感じ難い。すなわち、排水部３０を外レール４ａの室外面に対向させ、且つ排水部３０と外レール４ａの室内面との間を微小な隙間Ｆとしたので、排水部が大きい隙間面積で上向きや周囲に開口しているものと異なり、高気密高断熱住宅の換気システムの稼動で内排水部品１５を介して外気を室内に微量に取り込んでいたとしても、冬場に内排水部品１５に手をかざしても冷気を感じ難くすることができる。
【００３２】
また、内排水部品１５は、下枠２ｂの内外レール４ａ，４ｂ間の室内側上面部ｘｂに形成された排水口１８に取付けられる本体１９と、この本体１９に着脱可能に取付けられるカバー部材３１とからなるため、取外して容易に清掃することができることは勿論、本体１９のみからなる内排水部品１５を備えた既存の引違いサッシにもカバー部材３１を取付けるだけで容易に対応することができる。また、カバー部材３１が本体１９の上面部全体を覆っているため、水密試験時に本体上面部の長手方向両端部と排水口１８との隙間（フランジ状の係止部１９ｅがない部分）からしぶきが発生したとしても、しぶきの飛散を防止でき、このため、しぶき対策として前記隙間にシール材を取付ける必要がない。
【００３３】
更に、前記外排水部品１６には、水抜き穴２４が設けられているため、外排水部品１６内に水が残留することがなく、冬場に外排水部品１６が残流水で凍結することを防止することができ、排水性を保証することができる。例えば残流水が凍結した時など弁が開閉不能になった場合も確実に排水できる。
【００３４】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、枠体２を構成する上枠２ａ、下枠２ｂおよび左右の縦枠２ｃ，２ｃの断面形状は、前記実施の形態のものに限定されない。また、建物の躯体Ｔに取付けられる枠体２は、半外付け構造とされているが、外付け構造であってもよい。また、本発明は、樹脂サッシ以外に、例えばアルミサッシ、アルミと合成樹脂を組み合わせた複合サッシ等にも適用可能である。水抜き穴２４は、切欠きであってもよい。実施例の内排水部品は、本体とカバー部材が別体に形成されているが、一体に形成されていても良い。
【図面の簡単な説明】
【００３５】
【図１】本発明を樹脂製引違いサッシに適用した実施の形態を示す概略的室外側正面図である。
【図２】内排水部品の取付構造を示す図である。
【図３】図１のＡ−Ａ線拡大断面図である。
【図４】図１のＢ−Ｂ線拡大断面図である。
【図５】内排水部品を示す図で、（ａ）は正面図、（ｂ）は側面図である。
【図６】内排水部品のカバー部材を示す図で、（ａ）は正面図、（ｂ）は側面図である。
【図７】内排水部品の本体を示す図で、（ａ）は平面図、（ｂ）は正面図、（ｃ）は（ｂ）のＣ−Ｃ線断面図である。
【図８】外排水部品を示す図で、（ａ）は正面図、（ｂ）は背面図、（ｃ）は一部断面平面図、（ｄ）は（ｂ）のＤ−Ｄ線断面図である。
【符号の説明】
【００３６】
１  樹脂サッシ（引違いサッシ）
２  枠体
２ａ  上枠
２ｂ  下枠
２ｃ  縦枠
３ａ，３ｂ  障子
４ａ，４ｂ  レール
１５  内排水部品
２０弁
３０  排水部
ｆ  隙間
【図１】
2005188248.tif 000003
【図２】
2005188248.tif 000004
【図３】
2005188248.tif 000005
【図４】
2005188248.tif 000006
【図５】
2005188248.tif 000007
【図６】
2005188248.tif 000008
【図７】
2005188248.tif 000009
【図８】
2005188248.tif 000010